(57)【要約】【課題】  輸送等の際の振動でスプーンが粉末洗剤中に潜り込むことがなく、開封時に手を汚さずに計量スプーンの取り出しができ、かつスタッキング性に優れた容器を提供する。【解決手段】  開口部２ａを有する容器本体２と、開口部２ａを密封する蓋とを具備してなり、容器本体２の一側壁２ｂの内面に、容器本体２の底部２ｄから開口部２ａ近傍の間に延在し、かつ容器本体２の内側に向けて突出されてなる断面視山形のリブ４が形成され、リブ４の開口部２ａ側がスタッキング凸部４ｂとされるとともに、スタッキング凸部４ｂの開口部側端部に計量スプーン５を係止させるための突起状の係止部４ｃが蓋に向けて突出して設けられ、かつ一側壁２ｂの外面の容器本体底部寄りに前記リブ４に対応するスタッキング凹部が設けられていることを特徴とする容器１を採用する。【選択図】        図１
2005193908.tif 000002
【特許請求の範囲】
【請求項１】
開口部を有し、かつ樹脂材または紙と樹脂との複合材からなる容器本体と、該容器本体の前記開口部を密封する着脱自在な樹脂製の蓋とを具備してなり、
前記容器本体の少なくとも一側壁の内面に、前記容器本体の底部から前記開口部近傍の間に延在し、かつ前記容器本体の内側に向けて突出されてなる断面視山形のリブが形成され、前記リブの前記開口部側がスタッキング凸部とされるとともに、該スタッキング凸部の前記開口部側端部に計量スプーンを係止させるための突起状の係止部が前記蓋に向けて突出して設けられ、かつ前記一側壁の外面の容器本体底部寄りに前記リブに対応するスタッキング凹部が設けられていることを特徴とする容器。
【請求項２】
柄部の先端側に被係止孔が設けられるとともに前記柄部の他端側に計量部が取り付けられてなる計量用スプーンが備えられ、該計量スプーンの前記被係止孔が前記リブの前記係止部に係止自在とされていることを特徴とする請求項１に記載の容器。
【請求項３】
前記係止部の先端と前記蓋の内面との間隔が、前記計量スプーンの前記被係止孔の断面厚さよりも小さく設定されていることを特徴とする請求項２に記載の容器。
【発明の詳細な説明】
【技術分野】
【０００１】
本発明は、容器本体の内部に計量スプーンの取り付け部分を有し、かつ、この取り付け部分が複数の容器をスタッキングする際の嵌合部となる、容器に関するものである。
【背景技術】
【０００２】
従来、粉末洗剤などを収納、包装する粉体用容器の形態としては、成型品、組立箱、ボトル、袋などが一般的である。また、これら粉体用容器の材質は、樹脂、紙、樹脂と紙の複合体が一般的である。特に、成型品の場合は、樹脂材、または樹脂と紙との複合材が一般的に用いられている。
樹脂材からなる成型容器は、射出成形、真空成形、ブロー成形など、の方法で成型される。成形と同時にラベル等表示部を得る方法として、いわゆるラベルインモールド成型法があるが、この方法は、予め印刷フィルムを金型に設置し、次に樹脂を金型に流し込んで成形するというものであり、印刷フィルムと樹脂を一体に成型することで、耐水性や容器の強度に優れるという利点がある。
また、樹脂と紙との複合材からなる成型容器は、印刷した紙、若しくは樹脂と複合化した紙を金型内に設置し、次に樹脂を金型内に流し込み成形するという方法で製造される。この成型容器は、紙の強度により形態を維持できるため、樹脂を容器全体に使用しなくても済むという利点がある。
【０００３】
ところで上記の成型容器は、予め容器形態に仕上がっているため、組立箱や袋等に比べて多くの保管スペースが必要になる。そこで、充填場所への移送のためのスペースや保管のためのスペースを減少するために、スタッキング性が重要になる。下記特許文献１に記載されているスタッキング容器は、積み重ねがし易いように、通常、容器胴部が底部に向かって内側に傾斜し、内容物を収容していない状態においては、複数積み重ねることで占有空間を小さくして保管効率を高めている。占有空間を小さくする観点からは、重ね代を大きくして容器上端の開口部を互いに近接させるようにすることが望ましいが、過度に大きな重ね代をとると、充填工程において容器を個々に分離する際に作業がスムーズに行えないという欠点がある。
【０００４】
これらを改善するために、(1)容器の外周面において、開口縁部から下方に延長する外側に縦リブを設け、下方の容器の開口縁部の上端面に当接させる方法や、(2)容器の内周面において、底部から胴部に沿って延長する内側縦リブを設け、上方の容器底部を当接させる方法などが提案されている。
【０００５】
また、粉末洗剤などの粉体を使用時に適量供給するために、計量スプーン付きの容器がある。計量スプーンは粉末洗剤の場合、小売店までの輸送や使用中に加わる振動などによってスプーンが粉末洗剤の中に潜り込んでしまうといった不具合がある。
下記特許文献２、３には、このような不具合を改善するためにスプーンを蓋に取り付けるタイプのものが提案されている。しかし、これらの容器は、輸送や使用中にスプーンが粉洗剤中に落下しないように蓋にはめ込んで取り付けるため、消費者が使用時にスプーンを蓋から取り出す際に、蓋とのカン合を外しにくいなどの不具合があった。また、蓋にスプーンを取り付けるためのカン合部分を設けるため、蓋を重ね合わせにくく生産工程で取り扱いにくいという不具合もあった。
【０００６】
また、下記特許文献４には、容器本体に突起部を設けてこの突起部にスプーン柄端部孔を係止させる方法が提案されているが、輸送や取り扱い時にスプーンが容器本体の突起からはずれて粉洗剤中に潜り込むおそれがあった。
更に、下記特許文献５では、容器本体内にスプーン取り付け用の突起を設けるために、容器本体どうしを積み重ねることが難しく、輸送効率や保管効率に問題があった。
【特許文献１】特開２０００−３１３４３８号公報
【特許文献２】特開平１０−３２８０５１号公報
【特許文献３】特開２００１−１９００６号公報
【特許文献４】実開平６−７６０６０号公報
【特許文献５】特開平８−３０１２８８号公報
【発明の開示】
【発明が解決しようとする課題】
【０００７】
本発明は、上記事情に鑑みてなされたものであって、計量スプーン取り付けのための構造を有し、かつ輸送等の際の振動でスプーンが粉末洗剤中に潜り込むことがなく、開封時に手を汚さずに計量スプーンの取り出しができ、かつスタッキング性に優れた容器を提供することを目的とする。
【課題を解決するための手段】
【０００８】
上記の目的を達成するために、本発明は以下の構成を採用した。
本発明の容器は、開口部を有し、かつ樹脂材または紙と樹脂との複合材からなる容器本体と、該容器本体の前記開口部を密封する着脱自在な樹脂製の蓋とを具備してなり、前記容器本体の少なくとも一側壁の内面に、前記容器本体の底部から前記開口部近傍の間に延在し、かつ前記容器本体の内側に向けて突出されてなる断面視山形のリブが形成され、前記リブの前記開口部側がスタッキング凸部とされるとともに、該スタッキング凸部の前記開口部側端部に計量スプーンを係止させるための突起状の係止部が前記蓋に向けて突出して設けられ、かつ前記一側壁の外面の容器本体底部寄りに前記リブに対応するスタッキング凹部が設けられていることを特徴とする。
【０００９】
上記構成によれば、リブの開口部側に計量スプーンを係止させるための突起状の係止部が設けられているので、容器本体に粉末洗剤等の内容物が充填されたときに、計量スプーンを当該内容物の上に載置しつつ係止部に係止させることができ、輸送等の際に振動が加わった場合でも計量スプーンが内容物中に完全に潜り込むおそれがない。これにより、開封時に内容物に触れずに計量スプーンを取り出すことができる。
また、容器本体の外面の底部寄りにスタッキング凹部が設けられ、容器本体の内面の開口部側にスタッキング凸部が設けられているので、２つの容器本体を重ねる際に、一方の容器本体のスタッキング凸部に他方の容器本体のスタッキング凹部を嵌め合わせることができる。これにより、スタッキング性に優れた容器を実現できる。
【００１０】
また本発明の容器は、先に記載の容器であり、柄部の先端側に被係止孔が設けられるとともに前記柄部の他端側に計量部が取り付けられてなる計量用スプーンが備えられ、該計量スプーンの前記被係止孔が前記リブの前記係止部に係止自在とされていることを特徴とする。
【００１１】
上記構成によれば、計量スプーンの被係止孔を容器本体の係合部に掛けるだけで係止できるので、計量スプーンの着脱が容易になる。
【００１２】
また本発明の容器は、先に記載の容器であり、前記計量スプーンの前記被係止孔が前記柄部の長手方向に沿う長孔とされていることを特徴とする。
【００１３】
上記構成によれば、前記計量スプーンが前記係止部の突出方向に対して直交した状態でも傾斜した状態でも係止させることができる。即ち、容器本体に内容物が最大限充填されたときでも計量スプーンの計量部を当該内容物の上に載置しつつ係止部に係止させることができ、また内容物の量が少なくなったときでも計量スプーンの計量部を当該内容物上に載置させたまま被係合孔を係合部に係止させることができる。これにより、内容物の量に関わりなく、計量スプーンを容器本体に係止させることができる。
【００１４】
また本発明の容器は、先に記載の容器であり、前記係止部の先端と前記蓋の内面との間隔が、前記計量スプーンの前記被係止孔の断面厚さよりも小さく設定されていることを特徴とする。
【００１５】
上記構成によれば、蓋で容器本体を密封した状態で計量スプーンが係合部から外れるおそれがない。これにより、輸送等の際の振動が加わった場合でも計量スプーンが容器本体から外れるおそれがない。
【００１６】
また本発明の容器は、先に記載の容器であり、前記リブと同一形状の別のリブが、前記一側壁に対向する前記容器本体の他の側壁に形成されていることを特徴とする。
【００１７】
上記の構成により、計量スプーンを一側壁側若しくは他側壁側のいずれかに係合させることが可能となり、計量スプーンの着脱の操作性をより向上できる。
【発明の効果】
【００１８】
本発明の容器によれば、輸送等の際の振動でスプーンが粉末洗剤中に潜り込むことがなく、開封時に手を汚さずに計量スプーンの取り出しができ、かつスタッキング性を高めて保管スペース等の効率化を図ることができる。
【発明を実施するための最良の形態】
【００１９】
以下、本発明の実施の形態を図面を参照して説明する。図１は、本発明の実施形態である容器の一例を一方向から見た分解斜視図であり、図２は、図１に示す容器を別の方向から見た斜視図であり、図３は、図１に示す容器を正面から見た断面模式図である。また、図４は、図１に示す容器の要部を示す断面模式図である。
【００２０】
図１、図２及び図３に示すように、本実施形態の容器１は、開口部２ａを有する容器本体２と、この容器本体１の開口部２ａを密封する蓋３とから構成されている。容器本体２は、樹脂材、または紙と樹脂との複合材から構成され、蓋３は樹脂より構成される。容器本体２は、中空の直方体形状とされ、開口部２ａに対向する底部２ｄと、この底部２ｄの外周から立設された４つの側壁２ｂ、２ｃ、２ｅ、２ｆとにより区画されて形成されている。各側壁２ｂ、２ｃ、２ｅ、２ｆは、開口部２ａ側から底部２ｄ側に向かって内側に傾斜しており、これにより容器本体２は、別の容器本体をその底部から積み重ねる（スタッキングする）ことが可能になっている。
また、蓋３は、板状の蓋本体３ｂとこの蓋本体３ｂの周囲に形成された嵌合部３ｃとから構成されている。容器本体２の開口部２ａ外側には、蓋３の嵌合部３ｃと嵌め合う被嵌合部２ｇが形成されており、この嵌合部３ｃと被嵌合部２ｇとによって蓋３が容器本体２に対して着脱自在とされている。
【００２１】
また、図１〜３に示すように、容器本体２の一側壁２ｂの容器内面側には、容器本体２の内面側に突出形成されたリブ４が設けられている。リブ４は、一側壁２ｂの一部を容器本体２の内側に向けて断面視山形に突出させたものであり、一側壁２ｂと一体に形成されている。このリブ４は、容器本体２の底部２ｄから開口部２ａ近傍の間に延在されている。またリブ４は、底部２ｄ寄りに位置する突出部４ａと、開口部２ａ寄りに位置するスタッキング凸部４ｂとから構成されている。突出部４ａは、スタッキング凸部４ｂよりも容器本体２内側に大きく突出している。また、スタッキング凸部４ｂの開口部側端部には、突起状の係止部４ｃが設けられている。この係止部４ｃは、蓋３に向けて突出して設けられている。この係止部４ｃの先端と蓋３の内面３ａとの間隔は、後述するように所定の間隔に設定されている。また、容器本体２の一側壁２ａの外面側には、リブ４の突出部４ａに対応するスタッキング凹部４ｄが設けられている。
【００２２】
また、容器本体２の一側壁２ｂと対向する他の側壁２ｃの内面には、別のリブ６が設けられている。この別のリブ６は、リブ４の突出部４ａと同一形状の別の突出部６ａにより構成されている。これら突出部４ａ、６ａは、別の容器が挿入された際に、別の容器の過剰な挿入を規制する挿入規制部として機能する。
【００２３】
次に、本実施形態の容器１には、図１に示すような計量用スプーン５が備えられている。この計量スプーン５は、柄部５ａと、柄部５ａの先端側に設けられた被係合孔５ｂと、柄部５ａの他端側に取り付けられた計量部５ｃとから構成されている。被係合孔５ｂは、柄部の長手方向に沿う長孔とされている。そして、計量スプーン５の被係合孔５ｂが容器本体２の係合部４ｃに掛けられることにより、計量スプーン５と容器本体２とが着脱自在とされている。
【００２４】
図４には、計量スプーン５及び容器本体２の係合部４ｃ近傍の拡大図を示す。図４では、計量スプーン５が係合部４ｃに対して傾斜した状態で係合している。図４に示すように、計量スプーン５の被係合孔５ｂは、図中上側に突出した係合部４ｃに掛けられて係止されている。これにより、計量スプーン５を容器本体２の上側から容易に取り出すことができ、また計量スプーン５を容器本体２の上側から容易に取り付けられるようになっている。
また図４に示すように、蓋３が装着されたときの蓋３の内面３ａと係合部４ｃの先端との間隔をｔ１とし、計量スプーン５の被係止孔５ｂの断面厚さをｔ２としたとき、ｔ２＞ｔ１となるように構成されている。これにより、蓋３が装着された際に、計量スプーン５が係合部４ｃと蓋の内面３ａとの間から外れることがなく、計量スプーン５を確実に係止できるようになっている。
【００２５】
また、被係止孔５ｂが柄部５ａの長手方向に沿う長孔とされ、この長孔の断面視長さｍ１が係合部４ｃの断面視長さｍ２よりも大きく設定されている。これにより、計量スプーン５が被係合部４ｃに対して傾斜した状態であっても、係合部４ｃと、被係止孔５ｂの長手方向両側を区画する壁面５ｄ、５ｄとが干渉することがなく、容器本体２内部において計量スプーン５が被係合部４ｃに連結された状態で可動自在とされている。
【００２６】
次に、本実施形態の容器１の使用形態について説明する。
図５には、２つの容器１ａ、１ｂの容器本体２，２をスタッキングさせた状態を示している。図５に示すように、一方の容器１ａの容器本体の開口部２ａに、他方の容器１ｂの容器本体２を挿入すると、一方の容器１ａのスタッキング凸部４ｂ１に、他方の容器１ｂのスタッキング凹部４ｄ１が嵌め込まれる。スタッキング凸部４ｂ１には係合部４ｃが設けられているが、スタッキングの際にはこの係合部４ｃもスタッキング凸部として機能する。このように、スタッキング凸部４ｂ１とスタッキング凹部４ｄ１を嵌め合わせることで、容器１ａ、１ｂ同士を確実に重ねることができる。
【００２７】
そして、更に容器１ｂを挿入すると、容器１ｂの容器本体２の底部が、他方の容器１ａの突出部４ａ１に突き当てられ、それ以上の挿入が規制される。このように、突出部４ａ１によって過剰な挿入が規制されるため、容器本体同士を分離させやすくなり、分離作業をスムーズに行うことができる。
【００２８】
また、図６には、本実施形態の容器１に内容物を充填した場合の使用形態を示す。図６には、容器本体２に粉末洗剤等の内容物Ｍを充填し、計量スプーン５を係合部４ｃに係合させつつ内容物Ｍ上に載置させ、更に蓋３で容器本体２を密封させた状態を示している。このように、計量スプーン５の被係合孔５ｂを容器本体２の係合部４ｃに係止させた状態で、計量スプーン５を内容物Ｍ上に載置することにより、計量スプーン５が内容物Ｍの中に潜り込む虞がない。
【００２９】
また、蓋３が開口部２ａに嵌め合わされることによって、蓋の内面３ａと係合部４ｃの先端との間から計量スプーン５が外れてしまう虞がない。これにより、容器１の輸送中に振動などが加えられた場合でも、計量スプーン５が容器本体２から外れる虞がなく、計量スプーン５の潜り込みが防止される。このため使用者は手を汚すことなく計量スプーン５を取り出すことができる。
【００３０】
また、図７には、本実施形態の容器１に内容物が充填されていない場合を示す。図７には、計量スプーン５を係合部４ｃに係合させ、かつ計量スプーン５の計量部５ｃを容器本体２の底部２ｄ上に載置させ、更に蓋３で容器本体２を密封させた状態を示している。計量スプーンの被係合孔５ｂが、柄部５ａの長手方向に沿った長孔とされているので、図７に示すように計量スプーン５が傾斜した状態であっても、被係合孔５ｂと係合部４ｃとが干渉する虞がない。これにより、内容物の量に関わらず、計量スプーン５を容器本体２に確実に係止させることができる。
【００３１】
なお、本発明の技術範囲は上記実施の形態に限定されるものではなく、本発明の趣旨を逸脱しない範囲において種々の変更を加えることが可能である。例えば図８には、本実施形態の容器の別の例を示す。この図８に示す容器１０には、側壁２ｂと対向する他方の側壁２ｃに、別のスタッキング凸部６ｂが突出部６ａと一体で形成され、さらにこのスタッキング凸部６ｂの開口部２ａ寄りに別の係合部６ｃが設けられている。
このように、図８に示す容器１０によれば、計量スプーン５を係止するための係合部が容器本体２に２箇所設けられているので、計量スプーンをいずれか一方の側壁２ｂ、２ｃに係合させることが可能となり、計量スプーン５の着脱の操作性を更に向上できる。
【図面の簡単な説明】
【００３２】
【図１】図１は、本発明の実施形態である容器の一例を一方向から見た分解斜視図。
【図２】図２は、図１に示す容器を別の方向から見た斜視図。
【図３】図３は、図１に示す容器を正面から見た断面模式図。
【図４】図４は、図１に示す容器の要部を示す断面模式図。
【図５】図５は、２つの容器を重ねた状態を示す斜視図。
【図６】図６は、図１に示す容器の使用例を説明する断面模式図。
【図７】図７は、図１に示す容器の使用例を説明する断面模式図。
【図８】図８は、本発明の実施形態である容器の他の例を正面から見た断面模式図。
【符号の説明】
【００３３】
１…容器、２…容器本体、２ａ…開口部、２ｂ…一側壁、２ｄ…底部、３…蓋、３ａ…内面、４…リブ、４ｂ…スタッキング凸部、４ｃ…係止部、４ｄ…スタッキング凹部、５…計量スプーン、５ａ…柄部、５ｂ…被係止孔、５ｃ…計量部、６…別のリブ
【図１】
2005193908.tif 000003
【図２】
2005193908.tif 000004
【図３】
2005193908.tif 000005
【図４】
2005193908.tif 000006
【図５】
2005193908.tif 000007
【図６】
2005193908.tif 000008
【図７】
2005193908.tif 000009
【図８】
2005193908.tif 000010